(57)【特許請求の範囲】
【請求項１】
有底で天板を有する直立に配された筒状体と、筒状体内で回転する垂直軸と、垂直軸を回転させる駆動部とからなる羽毛使用状態確認装置であって、
筒状体は、筒状体内に穴あきパネルよりなるフィルターを水平方向に配し、前記フィルターにより筒状体が上部空間層と下部空間層とに区分けされており、上部空間層には羽毛を投入及び排出する開口部が備えられており、
垂直軸は、上部空間層において水平方向に延びる複数の攪拌棒を具備している、
ことを特徴とする羽毛使用状態確認装置。
【請求項２】
天板が開閉可能に形成され、天板を開口したときに羽毛を投入及び排出する開口部となることを特徴とする請求項１に記載の羽毛使用状態確認装置。
【請求項３】
攪拌棒が、上から順次交差して配されていることを特徴とする請求項１又は２に記載の羽毛使用状態確認装置。
【請求項４】
筒状体の側面が内部透視可能な材料よりなることを特徴とする請求項１〜３のいずれか１項に記載の羽毛使用状態確認装置。
【発明の詳細な説明】
【技術分野】
【０００１】
本発明は、羽毛掛布団等の布団の中材として使用される羽毛を一部取り出して除塵することにより、羽毛の使用状態を確認する羽毛使用状態確認装置に関する。
【背景技術】
【０００２】
主に掛け布団等の布団の中材として、軽量で適度の吸湿性、保湿性、保温性クッション性を有する羽毛が使用されているが、長期間の使用により、一部の羽毛が切断されて羽毛布団特有の効果を果たせなくなることがある。
【０００３】
従来から、公知文献１〜５に示されるように、羽毛の除塵及び再生に関する技術が公表されている。
【特許文献１】実開昭６０−４９２５９号
【特許文献２】特開昭６１−１３７５８６号
【特許文献３】特開昭６１−２１７１９０号
【特許文献４】特開昭６３−４０５９３号
【特許文献５】特開２００１−８７１０５号
【発明の開示】
【発明が解決しようとする課題】
【０００４】
しかしながら、上記公知文献１〜５に示されるものは、大がかりなものであって除塵及び洗浄の効果が高いが、装置製造のコストが高く、利用者の負担が大きいという欠点がある。しかしながら、除塵及び洗浄が必要となる程度に羽毛の状態が悪化している場合には、コストを掛けてでも除塵及び洗浄して羽毛を再生するか又は新品に買い換えなければならない。ところが除塵及び洗浄が必要となる程度に羽毛の状態が悪化しているどうかを確認できるような装置がないために、未だ十分に使用可能な羽毛であっても、除塵及び洗浄を行ったり又は新品に買い換えたりする場合があり、逆に除塵及び洗浄を行うか又は新品に買い換える必要がある程度に羽毛の状態が悪化しているのにも拘わらず、使用し続けるような場合もあるのが実情である。
【０００５】
本発明は、上記した現状に鑑み、羽毛を中材として使用する羽毛掛布団等の寝具の中から羽毛の一部を取り出して除塵を行う簡単な装置であって、羽毛の使用状態が簡単に確認できる装置を開発した。
【課題を解決するための手段】
【０００６】
本発明に係る羽毛使用状態確認装置は、有底で天板を有する直立に配された筒状体と、筒状体内で回転する垂直軸と、垂直軸を回転させる駆動部とからなる羽毛使用状態確認装置であって、筒状体は、筒状体内に穴あきパネルよりなるフィルターを水平方向に配し、前記フィルターにより筒状体が上部空間層と下部空間層とに区分けされており、上部空間層には羽毛を投入及び排出する開口部が備えられており、垂直軸は、上部空間層において水平方向に延びる複数の攪拌棒を具備していることを特徴とするものである。このように構成したことにより、上部空間層に投入された羽毛が攪拌棒の回転により攪拌され、この攪拌作用により羽毛の中に含まれている切断された羽毛や塵芥が沈降し、穴あきパネルよりなるフィルターを通じて下部空間層に落下する。これによって、投入された羽毛のうち、除塵された羽毛が上部空間層に残り、切断された羽毛や塵芥が下部空間層に蓄積される。
【０００７】
また、上記構成に加え、天板が開閉可能に形成され、天板を開口したときに羽毛を投入及び排出する開口部となるように構成してもよい。
【０００８】
さらに上記構成に加え、攪拌棒が、上から順次交差して配されているように構成してもよい。このように構成すると羽毛の攪拌効率が向上する。
【０００９】
さらにまた、筒状体の側面が内部透視可能な材料よりなる構成としてもよい。このように構成すると筒状体内部における羽毛の除塵状態を観察することができるので、羽毛の使用状態が確認しやすくなる。
【発明の効果】
【００１０】
上記のように本発明に係る羽毛使用状態確認装置は、羽毛を収納する筒状体と、筒状体内部において羽毛を攪拌する垂直軸及び垂直軸を回転させる駆動源と、羽毛と塵芥とを分離するフィルターとからなる簡単な装置であって、製造コストが安く、したがって、利用者の負担が少なくして、羽毛の使用状態が簡単に確認できる利点がある。
【発明を実施するための最良の形態】
【００１１】
以下、本発明に係る羽毛使用状態確認装置について、図面に基づき詳細に説明する。
【実施例】
【００１２】
図１は本実施例に係る羽毛使用状態確認装置の斜視図であり、図２は羽毛使用状態確認装置の断面図であり、図３は羽毛使用状態確認装置に羽毛を投入する状態を示す斜視図であり、図４は羽毛使用状態確認装置内において羽毛を攪拌している状態を示す斜視図であり、図５は除塵完了後に羽毛使用状態確認装置から羽毛を取り出す状態を示す斜視図である。
【００１３】
図１及び図２において、Ａは本実施例に係る羽毛使用状態確認装置を示し、該羽毛使用状態確認装置Ａは、主として内部透視可能な筒状体１０と、筒状体１０内で回転する垂直軸２０と、該垂直軸２０を回転させる駆動部３０とから構成され、これら筒状体１０、垂直軸２０及び駆動部３０は支持台Ｂに組み付けられて完成する。
【００１４】
筒状体１０は、天板となる円形の開閉蓋１１と、側面を構成する円筒１２と、底部を構成する円形の底板１３とを備え、筒状体１０内部には、穴あきパネルよりなるフィルター１４が水平方向に配されている。なお、底板１３及びフィルター１４の中央には、垂直軸２０が貫通できる穴が形成されている。前記開閉蓋１１は、その外径は円筒１２の外径と一致させ、開閉蓋１１の下面周囲に段差１１ａを設けて円筒１２の内径に一致する円形凸部１１ｂが形成され、開閉蓋１１が円筒１２の上端部に嵌合するように構成されている。また、開閉蓋１１の水平方向両端には蝶番１５が取り付けられており、各蝶番１５の遊離側端部には係合部材１５ａが取り付けられており、円筒１２の外側面上端に取り付けられている被係合部材１５ｂが取り付けられていて、係合部材１５ａと被係合部材１５ｂとを着脱することにより開閉蓋１１が円筒１２に対して着脱可能になっている。なお、前記のような取り外し式の開閉蓋ではなく、一端が蝶番により固定され、他端にのみ円筒の上端と着脱自在の係合具を取り付けて、開閉のみが可能な開閉蓋としてもよく、また、開閉蓋を設けずに天板を円筒の上端に固定し、後述する円筒上部１２の側面に開口部を形成してもよい。前記フィルター１４は、円筒１２を上下に円筒上部１２ａと円筒下部１２ｂとに二分し、円筒上部１２ａの下端にフランジ１６ａを設け、円筒下部１２ｂの上端にフランジ１６ｂを設け、これらフランジ１６ａ、１６ｂの間にフィルター１４を挟み込んでフランジ１６ａ、１６ｂをボルト１６ｃで固定することによりフィルター１４が取り付けられている。このフィルター１４により、筒状体１０は上部空間層１０ａと下部空間層１０ｂとに区分けされる。フィルター１４の穴径は、羽毛の種類に応じて４〜６ｍｍ又は７〜９ｍｍのものを使用する。円筒下部１６ｂの下端にはフランジ１７が取り付けられており、支持台Ｂに対してボルト１７ａにて固定することにより、筒状体１０は支持台Ｂ上に垂直に立設される。なお、本実施例においては、開閉蓋１１、円筒１２及びフィルター１４は透明なアクリル樹脂等の透明な合成樹脂や透明ガラスにて構成しているが、円筒１２のみを透視可能な材料で構成してもよく、また、内部透視ができない材料で構成しても除塵効果そのものには影響はない。
【００１５】
垂直軸２０は、上部空間層１０ａにおいて水平方向に延びる複数の攪拌棒２１が、上から順次交差して配されている。また、垂直軸２０の下端部２０ａは軸受けＣにより固定され、垂直軸２０の下端２０ｂにはプーリ２２が軸止されており、該プーリ２２は、支持台Ｂに取り付けられている駆動部３０であるモータの回転軸に軸止されたプーリ３１と無端ベルト３２により連結され、モータが回転すれば、垂直軸２０が回転し、攪拌棒２１が上部空間層１０ａにおいて水平回転するようになっている。
【００１６】
本実施例に係る羽毛使用状態確認装置Ａは、上記のように構成されており、図３に示すように、まず、開閉蓋１１を取り外して、筒状体１０における上部空間層１０ａに羽毛Ｄを投入する。そして、図４に示すように、開閉蓋１１を取り付けて、駆動部３０を駆動させることにより垂直軸２０を回転させると、上部空間層１０ａ内の羽毛Ｄが攪拌棒２１により攪拌され、ちぎれた羽毛や塵芥などＥが沈降し、フィルター１４の穴を通過して下部空間層１０ｂに落下することにより、上部空間層１０ａに残った羽毛Ｄは除塵されることになる。その後、駆動部３０を停止させ、開閉蓋１１を外して、除塵された羽毛Ｄを取り出せはよい。なお、筒状体が内部透視可能であるため、内部の羽毛の攪拌状態を観察しながら除塵されるので、羽毛の使用状態が確認できて便利である。
【図面の簡単な説明】
【００１７】
【図１】本発明の実施例に係る羽毛使用状態確認装置の斜視図である。
【図２】本発明の実施例に係る羽毛使用状態確認装置の断面図である。
【図３】羽毛使用状態確認装置に羽毛を投入する状態を示す斜視図である。
【図４】羽毛使用状態確認装置内において羽毛を攪拌している状態を示す斜視図である。
【図５】除塵完了後に羽毛使用状態確認装置から羽毛を取り出す状態を示す斜視図である。
【符号の説明】
【００１８】
Ａ・・・羽毛使用状態確認装置
Ｂ・・・支持台
Ｃ・・・軸受け
Ｄ・・・羽毛
１０・・筒状体
１０ａ・上部空間層
１０ｂ・下部空間層
１１・・開閉蓋
１１ａ・段差
１１ｂ・円形凸部
１２・・円筒
１２ａ・円筒上部
１２ｂ・円筒上部
１３・・底板
１４・・フィルター
１５・・蝶番
１５ａ・係合部材
１５ｂ・被係合部材
１６ａ・フランジ
１６ｂ・フランジ
１６ｃ・ボルト
１７・・フランジ
１７ａ・ボルト
２０・・垂直軸
２０ａ・垂直軸の下端部
２０ｂ・垂直軸の下端
２１・・攪拌棒
２２・・プーリ
３０・・駆動部
３１・・プーリ
３２・・無端ベルト
【図１】
0004763750.tif 000002
【図２】
0004763750.tif 000003
【図３】
0004763750.tif 000004
【図４】
0004763750.tif 000005
【図５】
0004763750.tif 000006